(57)【要約】【課題】トレイのローディングのタイミングと同期させてフラップを開閉できるようにする。【解決手段】トレイの移動に連動するにトラバースユニットに作動片３０を形成する。作動片３とフラップ１０との間に開閉レバー３１を軸支し、開閉レバー３１の一端を作動片３に係合させ、開閉レバー３１の他端にフラップ１０に形成する従動ギア部３６と噛み合う駆動ギア部３５を形成する。作動片３０は、トラバースユニットの昇降動作によって上下方向に移動し、作動片３０の上下動によって開閉レバー３１が回転し、駆動ギア部３５と従動ギア部３６との噛み合いによってトレイ引き出し口９を塞ぐフラップ１０が開閉される。【選択図】図２
2008077784.tif 000002
【特許請求の範囲】
【請求項１】
光ディスクを回転駆動し、ピックアップユニットにより記録又は再生を行うトラバースユニットと、このトラバースユニットを収容する筺体と、この筺体の前面に開口したトレイ引き出し口を介して前記ピックアップユニットによる読み取り位置とディスク装着位置との間で前記筺体内外を往復動自在に保持したトレイと、このトレイの往復動に連動して読み取り位置でトラバースユニットを昇降させるローディング機構と、前記トレイ引き出し口を開閉させるフラップとを備えたディスク装置において、前記ローディング機構によって昇降するトラバースユニットと一体的に作動片を設け、この作動片と前記フラップとの間に開閉レバーを回動自在に軸支し、前記作動片の昇降動作に連動して前記開閉レバーを回転させて前記フラップを開閉したことを特徴とするフラップの開閉機構を備えたディスク装置。
【請求項２】
前記開閉レバーの一端を前記作動片に形成する案内溝に挿入するとともに、前記開閉レバーの他端に円弧状の駆動ギア部を形成し、前記フラップに前記駆動ギア部と噛合する従動ギア部を形成し、前記作動片による前記開閉レバーの回転動作によって前記駆動ギア部と従動ギア部との噛み合いによって前記フラップを開閉させたことを特徴とする請求項１記載のフラップの開閉機構を備えたディスク装置。
【請求項３】
光ディスクを回転駆動し、ピックアップユニットにより記録又は再生を行うトラバースユニットと、このトラバースユニットを収容する筺体と、この筺体の前面に開口したトレイ引き出し口を介して前記ピックアップユニットによる読み取り位置とディスク装着位置との間で前記筺体内外を往復動自在に保持したトレイと、このトレイの往復動に連動して読み取り位置でトラバースユニットを昇降させるローディング機構と、前記トレイ引き出し口を開閉させるフラップとを備えたディスク装置において、前記ローディング機構は、前記トレイの往復動作に連動して該トレイに対して左右方向にスライドしてトラバースユニットを昇降させるカム板を備え、このカム板と一体的に作動片を設け、この作動片と前記フラップとの間に開閉レバーを回動自在に軸支し、前記作動片のスライド動作に連動して前記開閉レバーを回転させて前記フラップを開閉したことを特徴とするフラップの開閉機構を備えたディスク装置。
【請求項４】
前記作動片に、該作動片のスライド動作に連動して前記開閉レバーの一端を昇降させる段差案内溝を設け、前記フラップには、前記開閉レバーの他端を遊動自在に案内する長孔を設け、前記作動片のスライド動作に連動して前記開閉レバーを回転駆動し、この開閉レバーの回転によって前記フラップを開閉させたことを特徴とする請求項３記載のフラップの開閉機構を備えたディスク装置。
【発明の詳細な説明】
【技術分野】
【０００１】
本発明は、光ディスクの記録面にレーザー光を照射してディスクの記録／再生を行うディスク装置、特に、トレイの往復動に連動してトレイ引き出し口を塞ぐフラップを開閉させたフラップの開閉機構を備えたディスク装置に関する。
【背景技術】
【０００２】
一般に、ディスク装置は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスクを装置内部において回転させ、この回転した状態の光ディスクの記録面にピックアップユニットより照射するレーザー光を当接し、前記光ディスクの記録面より反射したレーザー光を前記ピックアップユニットによって受光することで光ディスクに予め記録されている情報の読み込み再生、或いは光ディスクへ情報を書き込み記録する機能を有する。そして、ディスク装置によりディスクの記録或いは再生を行う場合、トレイにより装置内部へと搬入されたディスクをターンテーブルとクランパとにより該ディスクを挟持し、ターンテーブルの回転によってディスクを回転し、回転しているディスクの記録面にピックアップユニットからのレーザー光を当接して、反射する光を前記ピックアップユニットにて受光することにより、ディスクの記録或いは再生が行われる。
【０００３】
この種のディスク装置として、装置筺体の前面部にローディング機構を配設したフロントローディング方式のディスク装置が知られている。フロントローディングトレイ方式では、筺体前面に開口するトレイ引き出し口を介してローディングトレイを出し入れし、光ディスクを筺体外のディスク装着位置と筺体内のディスク駆動位置との間で搬送できるようになっており、トレイ引き出し口には、装置内部への塵芥などの侵入を防ぐ目的で開閉可能なフラップ（蓋）が設けられている。このフラップを光ディスクのローディングのタイミングと同期させて、フラップを開閉する技術として特許文献１には、ディスクローディング機構を構成するカムギヤとフラップ（蓋）とを２本の連動レバーと伝達アームで連結し、カムギヤの回転に連動して２本のレバーを介してフラップ（蓋）を開蓋するように構成したディスク記録及び／又は再生装置が提案されている。
【０００４】
【特許文献１】特開平６−２２３４７１号公報
【発明の開示】
【発明が解決しようとする課題】
【０００５】
特許文献１で示すフラップ開閉機構は、ディスクローディング機構のカムギヤにカム溝を形成し、そのカム溝に連動レバーの一端に形成するピンを係合させ、カムギヤの回転により、カム溝と連動レバーとの係合によって、連動レバーを回転させ、その連動レバーによって伝達アームを回転させてフラップを開閉することから、ディスクローディング機構のカムギヤにカム溝を形成する必要があり、成形加工が面倒であるとともに、フラップを開閉するのに２本の連動レバーと伝達アームを用いることから、組み付け部品点数も多く、構造が複雑なものとなり、生産コストが上昇する、という課題を有している。
【０００６】
本発明は上述した問題点に鑑みてなされたものであり、組み付け部品点数を削減して組み付け作業を簡略化することができるフラップの開閉機構を備えたディスク装置を提供することを目的とする。
【課題を解決するための手段】
【０００７】
請求項１のフラップの開閉機構を備えたディスク装置は、光ディスクを回転駆動し、ピックアップユニットにより記録又は再生を行うトラバースユニットと、このトラバースユニットを収容する筺体と、この筺体の前面に開口したトレイ引き出し口を介して前記ピックアップユニットによる読み取り位置とディスク装着位置との間で前記筺体内外を往復動自在に保持したトレイと、このトレイの往復動に連動して読み取り位置でトラバースユニットを昇降させるローディング機構と、前記トレイ引き出し口を開閉させるフラップとを備えたディスク装置において、前記ローディング機構によって昇降するトラバースユニットと一体的に作動片を設け、この作動片と前記フラップとの間に開閉レバーを回動自在に軸支し、前記作動片の昇降動作に連動して前記開閉レバーを回転させて前記フラップを開閉したことを特徴とする。
【０００８】
請求項１の構成によれば、ディスクに記憶された情報の読み込み再生、或いは光ディスクへ情報を書き込み記録する際、フラップを開いた状態でトレイ引き出し口からトレイが引き出され、そのトレイにディスクを載置して筐体の内部に搬送する。この時、トレイの動作と連動してローディング機構により、ピックアップユニットが組み込まれたトラバースユニットの自由端（前端側）が上方へと移動するとともに、作動片がトラバースユニットと一体的に上昇し、作動片によって開閉レバーが回転し、フラップが開閉レバーによって閉じる。エジェクトボタンなどでディスクを取り出す場合、筐体の外側に移動するトレイの動作と連動してトラバースユニットと作動片が下方へと移動し、作動片の下降動作に連動して開閉レバーが回転してフラップが開いてトレイ引き出し口が開放され、トレイがトレイ引き出し口から筐体の外部に移動し、ディスク装着位置へと至る。
【０００９】
請求項２のフラップの開閉機構を備えたディスク装置は、前記開閉レバーの一端を前記作動片に形成する案内溝に挿入するとともに、前記開閉レバーの他端に円弧状の駆動ギア部を形成し、前記フラップに前記駆動ギア部と噛合する従動ギア部を形成し、前記作動片による前記開閉レバーの回転動作によって前記駆動ギア部と従動ギア部との噛み合いによって前記フラップを開閉させたことを特徴とする。
【００１０】
請求項２の構成によれば、作動片がトラバースユニットと一体的に昇降した際、作動片に形成する案内溝と係合する開閉レバーの駆動ギア部とフラップの従動ギア部との噛み合いによって開閉レバーの回転と連動してフラップが開閉される。
【００１１】
請求項３のフラップの開閉機構を備えたディスク装置は、光ディスクを回転駆動し、ピックアップユニットにより記録又は再生を行うトラバースユニットと、このトラバースユニットを収容する筺体と、この筺体の前面に開口したトレイ引き出し口を介して前記ピックアップユニットによる読み取り位置とディスク装着位置との間で前記筺体内外を往復動自在に保持したトレイと、このトレイの往復動に連動して読み取り位置でトラバースユニットを昇降させるローディング機構と、前記トレイ引き出し口を開閉させるフラップとを備えたディスク装置において、前記ローディング機構は、前記トレイの往復動作に連動して該トレイに対して左右方向にスライドしてトラバースユニットを昇降させるカム板を備え、このカム板と一体的に作動片を設け、この作動片と前記フラップとの間に開閉レバーを回動自在に軸支し、前記作動片のスライド動作に連動して前記開閉レバーを回転させて前記フラップを開閉したことを特徴とする。
【００１２】
請求項３の構成によれば、トレイの動作と連動してカム板と作動片とが左右方向にスライドし、カム板によってピックアップユニットが組み込まれたトラバースユニットが昇降するとともに、作動片によって開閉レバーが回転し、この開閉レバーによってフラップが開閉駆動される。
【００１３】
請求項４のフラップの開閉機構を備えたディスク装置は、前記作動片に、該作動片のスライド動作に連動して前記開閉レバーの一端を昇降させる段差案内溝を設け、前記フラップには、前記開閉レバーの他端を遊動自在に案内する長孔を設け、前記作動片のスライド動作に連動して前記開閉レバーを回転駆動し、この開閉レバーの回転によって前記フラップを開閉させたことを特徴とする。
【００１４】
請求項４の構成によれば、作動片がカム板と一体的に左右方向にスライドした際、作動片に形成する段差案内溝と開閉レバーとの係合により、開閉レバーが回転し、この開閉レバーの回転と連動してフラップが開閉される。
【発明の効果】
【００１５】
本発明の請求項１のフラップの開閉機構を備えたディスク装置によれば、光ディスクを回転駆動し、ピックアップユニットにより記録又は再生を行うトラバースユニットと、このトラバースユニットを収容する筺体と、この筺体の前面に開口したトレイ引き出し口を介して前記ピックアップユニットによる読み取り位置とディスク装着位置との間で前記筺体内外を往復動自在に保持したトレイと、このトレイの往復動に連動して読み取り位置でトラバースユニットを昇降させるローディング機構と、前記トレイ引き出し口を開閉させるフラップとを備えたディスク装置において、前記ローディング機構によって昇降するトラバースユニットと一体的に作動片を設け、この作動片と前記フラップとの間に開閉レバーを回動自在に軸支し、前記作動片の昇降動作に連動して前記開閉レバーを回転させて前記フラップを開閉したものであるから、トレイ引き出し口を開閉するフラップをトレイのローディングのタイミングと同期させて開閉することができ、ローディング終了時には、フラップを確実に閉じて内部への塵埃の侵入を防止することができるとともに、トレイを排出する際、フラップを開いてトレイとフラップとの干渉を防止することができるから、トレイ及びフラップの傷損を防止することができる。また、作動片とフラップとの間に開閉レバーを軸支するだけで、トレイのローディングのタイミングと同期させてフラップを開閉することができるので、組付部品点数を削減でき、構造を簡略化することができ、組み付け作業性に優れるとともに、製造コストも削減することができる。
【００１６】
請求項２のフラップの開閉機構を備えたディスク装置によれば、前記開閉レバーの一端を前記作動片に形成する案内溝に挿入するとともに、前記開閉レバーの他端に円弧状の駆動ギア部を形成し、前記フラップに前記駆動ギア部と噛合する従動ギア部を形成し、前記作動片による前記開閉レバーの回転動作によって前記駆動ギア部と従動ギア部との噛み合いによって前記フラップを開閉させたものであるから、作動片による開閉レバーの回転をフラップに確実に伝達してフラップを開閉することができる。
【００１７】
請求項３のフラップの開閉機構を備えたディスク装置によれば、光ディスクを回転駆動し、ピックアップユニットにより記録又は再生を行うトラバースユニットと、このトラバースユニットを収容する筺体と、この筺体の前面に開口したトレイ引き出し口を介して前記ピックアップユニットによる読み取り位置とディスク装着位置との間で前記筺体内外を往復動自在に保持したトレイと、このトレイの往復動に連動して読み取り位置でトラバースユニットを昇降させるローディング機構と、前記トレイ引き出し口を開閉させるフラップとを備えたディスク装置において、前記ローディング機構は、前記トレイの往復動作に連動して該トレイに対して左右方向にスライドしてトラバースユニットを昇降させるカム板を備え、このカム板と一体的に作動片を設け、この作動片と前記フラップとの間に開閉レバーを回動自在に軸支し、前記作動片のスライド動作に連動して前記開閉レバーを回転させて前記フラップを開閉したものであるから、組付部品点数を増やすことなく、トレイのローディングのタイミングと同期させてフラップを開閉することができる。
【００１８】
請求項４のフラップの開閉機構を備えたディスク装置によれば、前記作動片に、該作動片のスライド動作に連動して前記開閉レバーの一端を昇降させる段差案内溝を設け、前記フラップには、前記開閉レバーの他端を遊動自在に案内する長孔を設け、前記作動片のスライド動作に連動して前記開閉レバーを回転駆動し、この開閉レバーの回転によって前記フラップを開閉させたものであるから、トラバースユニットを昇降させるカム板を利用してトレイのローディングのタイミングと同期させてフラップを開閉することができる。
【発明を実施するための最良の形態】
【００１９】
以下、本発明の具体的実施例について、添付図面を参照しながら説明する。なお、以下の実施態様は、本発明を具体化する際の一形態であって、本発明をその範囲内に限定するためのものではない。
【実施例１】
【００２０】
図１〜図３は本発明の実施例１を示し、図１はディスク装置の断面図、図２、図３はフラップ開閉機構を示す説明図である。同図に示すように、本実施例のディスク装置１は、図示しないディスクを搬入／搬出するトレイ２と、ディスクを回転駆動するターンテーブル３及びディスクの半径方向へ進退可能に設けたピックアップユニット４などをシャーシ５に組み付けたトラバースユニット６と、これらの構成部品を組み付けるとともに、前記トレイ２を前後方向に案内するフレーム７と、このフレーム７を収容する筐体８とから構成されている。この筐体８の前面には前記トレイ２と対応するトレイ引き出し口９が設けられており、このトレイ引き出し口９を介して前記ピックアップユニット４による読み取り位置とディスク装着位置との間で筺体８の内外をトレイ２が往復動する。また、筐体８には前記トレイ引き出し口９を開閉するフラップ１０が軸１１によって回動自在に軸支されている。
【００２１】
前記トラバースユニット６のシャーシ５には、前記ピックアップユニット４をスライド自在に案内するための一対のガイドシャフト２０や、このガイドシャフト２０に沿って前記ピックアップユニット４をディスクの半径方向へと進退自在に移動させるモータ及び該モータの駆動を前記ピックアップユニット４に伝達するためのギア機構（何れも図示せず）などが組み込まれている。また、シャーシ５の後端部両側に防振ゴム２３が装着され、この防振ゴム２３を介してシャーシ５の後端部がフレーム７に対して浮動的に取り付けられている。これにより、シャーシ５は、後端部に装着した防振ゴム２３を支点としてその反対側のシャーシ５の自由端（前端側）が上下方向に移動自在となり、シャーシ５はフレーム７に対して傾動自在となる。
【００２２】
一方、シャーシ５の自由端（前端側）にはローディング機構となるカム板２５が左右方向に移動自在に組み込まれ、図示しないギアによってトレイ２の動作と連動してカム板２５が前記フレーム７に対して左右方向にスライド自在に設けられており、このカム板２５に形成するカム溝２６に前記トラバースユニット６の自由端に形成する係合ピン２７が係合している。これにより、カム板２５が左右方向にスライドすることによって、前記カム溝２６に案内された前記係合ピン２７が上下動し、このガイドシャフト２０の上下動に連動して前記シャーシ５を含むトラバースユニット６の自由端（前端側）が前記防振ゴム２３を支点として上下方向に昇降するように構成されている。
【００２３】
これにより、トレイ２がフレーム７の内部に進入しきった際、カム板２５をスライドさせ、そのカム溝２６に係合した係合ピン２７により、トラバースユニット６のシャーシ５の自由端（前端側）が上方へと移動すると、図１に示すように、シャーシ５は、前記フレーム７の水平壁部に対してほぼ平行に配置され、フレーム７に組み付けたクランパ１４とシャーシ５に組み付けたターンテーブル３とでディスクを挟持してトレイ２に載置したディスクを回転駆動することが可能となる。
【００２４】
このように、前記トレイ２によってディスクを搬送する際、トレイ２がフレーム７の内部に進入しきった際、カム板２５がスライドしてトラバースユニット６が上昇する。そして、本実施例においては、トラバースユニット６の上昇動作に連動して前記フラップ１０を開いてトレイ引き出し口９を開放するためのフラップ開閉機構を設ける。このフラップ開閉機構は、トラバースユニット６のシャーシ５と一体形成して前記フレーム７の側方に突出した作動片３０と、この作動片３０と前記フラップ１０との間に回動自在に軸支した開閉レバー３１とから成る。この開閉レバー３１は、その中間部を軸３２によってフレーム７の側壁に軸支するとともに、開閉レバー３１の一端に形成する軸部３１ａが前記作動片３０に形成する長孔状の案内溝３３に挿入係合されている。また、開閉レバー３１の他端には円弧状の駆動ギア部３５が形成され、この駆動ギア部３５が前記フラップ１０に一体形成する円弧状の従動ギア部３６と噛合している。
【００２５】
以上のように構成されるディスク装置１は、トレイ２によってディスクを筐体８の内部に搬送し、ディスクの中心がターンテーブル３上に配置した状態でトレイ２が停止する。ターンテーブル３は、トレイ２がフレーム７の内部に進入しきった際、トレイ２の動作と連動してカム板２５がスライドし、そのカム溝２６に係合した係合ピン２７により、トラバースユニット６のシャーシ５の自由端（前端側）が上方へと移動し、クランパ１４とターンテーブル３とでディスクを挟持する。このように、トレイ２がフレーム７の内部に進入しきった際、トラバースユニット６のシャーシ５の自由端（前端側）が上方へと移動する。これにより、シャーシ５と一体形成した作動片３０がシャーシ５と共に上昇し、作動片３０に形成する案内溝３３と係合する開閉レバー３１の駆動ギア部３５と前記フラップ１０の従動ギア部３６との噛み合いによって開閉レバー３１が反時計方向に回転し、フラップ１０を閉じる（図２参照）。そして、ターンテーブル３をスピンドルモータ３Ａによって回転させ、この回転した状態のディスクの記録面にピックアップユニット４からレーザー光を照射し、ディスクの記録面より反射したレーザー光をピックアップユニット４によって受光することで前記ディスクに予め記録されている情報を読み込んで再生、或いは前記ディスクへ情報を記録する。ディスクを取り出す場合、図示しないエジェクトボタンを操作すると、外側に移動するトレイ２の動作と連動してカム板２５が内側にスライドし、そのカム溝２６に係合した係合ピン２７により、トラバースユニット６を組み込んだシャーシ５の自由端（前端側）が下方へと移動する。これにより、シャーシ５と一体形成した作動片３０がシャーシ５と共に降下し、作動片３０に形成する案内溝３３と係合する開閉レバー３１の駆動ギア部３５と前記フラップ１０の従動ギア部３６との噛み合いによって開閉レバー３１が時計方向に回転し、フラップ１０を開いてトレイ引き出し口９が開放される（図３参照）。そして、トレイ引き出し口９からトレイ２が筐体８の外部に移動し、ディスク装着位置へと至る。
【００２６】
以上のように、本実施例によれば、ローディング機構によって昇降するシャーシ５に形成した作動片３０によってフラップ１０を開閉する開閉レバー３１を回転させて、トレイ引き出し口９を開閉するフラップ１０をトレイ２のローディングのタイミングと同期させて開閉することができ、ローディング終了時には、フラップ１０を確実に閉じて内部への塵埃の侵入を防止することができるとともに、トレイ２を排出する際、開閉レバー３１によってフラップ１０を開いてトレイ２とフラップ１０との干渉を防止することができるから、トレイ２及びトレイ引き出し口９を開閉するフラップ１０の傷損を防止することができる。また、シャーシ５に作動片３０を形成し、この作動片３０とフラップ１０との間に開閉レバー３１を軸支するだけで、トレイ２のローディングのタイミングと同期させてフラップ１０を開閉することができるので、組付部品点数を削減でき、構造を簡略化することができる。これにより、組み付け作業性に優れるとともに、製造コストも削減することができる。
【実施例２】
【００２７】
図４〜図７は、本発明の実施例２を示し、図４はローディング機構を示す説明図、図５〜図７はフラップ開閉機構を示すディスク装置の断面図である。なお、本実施例においては、前記実施例１と同一機能を有する部分には、同一符号を付し、重複する部分の説明を省略し、異なる部分についてのみ説明する。
【００２８】
前記実施例１においては、トラバースユニット６のシャーシ５に作動片３０を形成し、この作動片３０によってフラップ１０を開閉する開閉レバー３１を操作した例を示したが、本実施例では、ローディング機構を構成するカム板２５をフレーム７の側方に延設して作動片４０を形成し、作動片４０のスライド移動に連動して開閉レバー４１を回転操作するように構成している。すなわち、本実施例では、カム板２５に一体形成する作動片４０に、該カム板２５に形成したカム溝２６と同様な段差案内溝４２を形成し、この段差案内溝４２に開閉レバー４１の一端に形成する軸部４１ａを係合している。開閉レバー４１は、前記第１実施例と同様、その中間部を軸３２によってフレーム７の側壁に軸支するとともに、開閉レバー４１の他端に形成する軸部４１ｂがフラップ１０に一体形成する係合アーム４４に形成する長孔４５に遊動自在に挿入係合している。
【００２９】
以上のように構成される本実施例では、トレイ２によってディスクを搬送する際、トレイ２がフレーム７の内部に進入しきった際、カム板２５がスライドしてトラバースユニット６が上昇するとともに、カム板２５に一体形成する作動片４０の段差案内溝４２に開閉レバー４１の一端に形成する軸部４１ａが係合しており、その段差案内溝４２によって、開閉レバー４１を反時計方向に回転駆動してフラップ１０を閉じる（図５（Ａ）参照）。一方、ディスクを取り出す場合、外側に移動するトレイ２の動作と連動してカム板２５を内側にスライドさせ、カム板２５によってトラバースユニット６を下方へと移動させるとともに、カム板２５に一体形成した作動片４０に形成する段差案内溝４２と開閉レバー４１との係合によって、開閉レバー３１を時計方向に回転駆動する。これにより、開閉レバー３１と係合するフラップ１０を開いてトレイ引き出し口９が開放される（図６、図７（Ａ）参照）。
【００３０】
以上のように、本実施例によれば、前記実施例１と同様、カム板２５に形成した作動片４０によってフラップ１０を開閉する開閉レバー４１を回転させて、トレイ引き出し口９を開閉するフラップ１０をトレイ２のローディングのタイミングと同期させて開閉することができ、ローディング終了時には、フラップ１０を確実に閉じて内部への塵埃の侵入を防止することができるとともに、トレイ２を排出する際、開閉レバー４１によってフラップ１０を開いてトレイ２とフラップ１０との干渉を防止することができるから、トレイ２及びトレイ引き出し口９を開閉するフラップ１０の傷損を防止することができる。また、カム板２５に作動片４０を形成し、この作動片４０とフラップ１０との間に開閉レバー４１を軸支するだけで、トレイ２のローディングのタイミングと同期させてフラップ１０を開閉することができるので、組付部品点数を削減でき、構造を簡略化することができる。これにより、組み付け作業性に優れるとともに、製造コストも削減することができる。
【００３１】
以上、本発明の一実施例を詳述したが、本発明は前記実施例に限定されるものでなく、本発明の要旨の範囲内で種々の変形実施が可能である。例えば、スロットイン構造のディスク装置などにも適用可能であり、ディスク装置の基本的構成などは、適宜選定すればよい。
【図面の簡単な説明】
【００３２】
【図１】本発明の実施例１を示すディスク装置の断面図である。
【図２】同上、フラップ開閉機構を示す説明図であり、フラップを閉じた状態を示す。
【図３】同上、フラップ開閉機構を示す説明図であり、フラップを開いた状態を示す。
【図４】本発明の実施例２を示すローディング機構を示す説明図である。
【図５】同上、フラップ開閉機構を示すディスク装置の断面図であり、図５（Ａ）は、フラップを閉じた状態を示す側面方向から見た断面図、図５（Ｂ）は、正面方向から見た断面図である。
【図６】同上、フラップ開閉機構を示すディスク装置の断面図であり、図５（Ａ）は、フラップの開閉途中の状態を示す側面方向から見た断面図、図５（Ｂ）は、正面方向から見た断面図である。
【図７】同上、フラップ開閉機構を示すディスク装置の断面図であり、図５（Ａ）は、フラップを閉じた状態を示す側面方向から見た断面図、図５（Ｂ）は、正面方向から見た断面図である。
【符号の説明】
【００３３】
１    ディスク装置
２    トレイ
４    ピックアップユニット
６    トラバースユニット
８    筐体
９    トレイ引き出し口
１０    フラップ
２５    カム板（ローディング機構）
３０，４０    作動片
３１，４１    開閉レバー
３５    駆動ギア部
３６    従動ギア部
４２    段差案内溝
４５    長孔
【図１】
2008077784.tif 000003
【図２】
2008077784.tif 000004
【図３】
2008077784.tif 000005
【図４】
2008077784.tif 000006
【図５】
2008077784.tif 000007
【図６】
2008077784.tif 000008
【図７】
2008077784.tif 000009